(57)【特許請求の範囲】
【請求項１】
箱外層に段ボールである紙質材シートが位置し、箱内層に段ボールである紙質材シートが位置している包材から箱本体が形成されている齧歯類動物輸送箱であって、
前記包材は、箱本体に収容する齧歯類動物による食い破りが困難な強度を有する一層の食い破り防止シートが、前記箱外層の紙質材シートと前記箱内層の紙質材シートとの間に位置し、箱外層の紙質材シートと箱内層の紙質材シートとの対向面それぞれに接着剤が塗布されて、該接着剤を介して箱外層の紙質材シートと箱内層の紙質材シートとを前記一層の食い破り防止シートに貼り合わせた食い破り防止積層部を形成した積層構成とされていて、
前記食い破り防止積層部には、前記箱外層の紙質材シートと箱内層の紙質材シートとを同寸法に開口し、該開口が重なり合った窓部を設けて、開口から表出した食い破り防止シートで前記窓部が閉じられていて、
前記窓部の周りにおける前記食い破り防止積層部が押し潰され、少なくとも箱内層の紙質材シートの開口周縁に亘って、該開口周縁と窓部内の食い破り防止シートとの段差を微小にしてこの開口周縁に対する収容齧歯類動物の噛み付きと爪掛けとが不能な潰れ部が設けられていることを特徴とする齧歯類動物輸送箱。
【請求項２】
上記開口で表出する食い破り防止シートの箱外層側に、透明な合成樹脂製シートとパルプシートと不織布との何れかからなる窓部用シートが重ね合わされ、前記窓部用シートと前記食い破り防止シートとで窓部が閉じられている請求項１に記載の齧歯類動物輸送箱。
【請求項３】
上記食い破り防止シートは、金網と合成樹脂製網と合成樹脂製シートとの何れかである請求項１または２に記載の齧歯類動物輸送箱。
【請求項４】
上記箱本体は、箱底部からフラップの開閉により開閉可能な箱天部に向けてテーパー状に拡開されていて、上位の箱本体が、フラップを開いた箱天部から箱内部に入る積み重ねが可能に設けられている請求項１から３の何れか一項に記載の齧歯類動物輸送箱。
【発明の詳細な説明】
【技術分野】
【０００１】
本発明はマウスやラットなどの実験に用いられる齧歯類動物を収容して輸送する際に用いる箱に関するものである。
【背景技術】
【０００２】
従来、実験用の齧歯類動物を飼育するゲージと称される飼育箱においては、板紙や段ボールの箱内層となる面側に合成樹脂製フィルムを接着剤を介して貼り付けた包材である一枚のブランクを組み起こして箱天部を解放し、箱底部から箱天部にかけてテーパー状に拡開したトレー形態の飼育箱が提案されており、実験使用後にその飼育箱が焼却処分できるようにしたものであった（特許文献１参照）。
また、飼育箱として、板紙や段ボールの箱内層となる面側に合成樹脂製フィルムを積層した包材である一枚のブランクに窓用の孔を打ち抜き、その窓用の孔に合成樹脂製の網を貼り付けていて、飼育前の齧歯類動物を収容して持ち運ぶ際に箱天部を閉じる天板となる部分に、その網入り窓を設けるようにした技術が示されている（特許文献２参照）。
【特許文献１】実公昭６２−０２７０９５号公報
【特許文献２】実公昭６３−０４０１３４号公報
【発明の開示】
【発明が解決しようとする課題】
【０００３】
ところで動物生産業者が実験用の齧歯類動物を実験飼育施設などに納入するときに用いる輸送箱においても、上述した飼育箱の場合と同じように包材の構成部材として段ボールを利用したものが採用されていた。そして、納入する場合でも一、二日程度その輸送箱にマウスやラットなどの齧歯類動物を収容させ続けることになり、食い破りを防止するために箱の内部に金網を配した構造となっていた。
図９はその輸送箱の板部となっている部分を断面で示していて、段ボールａの箱内面側に金網ｂを配置していた。これは段ボールａで箱本体を形成するとともに、内カゴを金網ｂで形成して箱の内部に落とし込むことで、段ボールａの箱内面側に金網ｂが重なるものであり、また、段ボールａからなる箱本体の一部分に開口を設け、その開口を箱内方から塞ぐように小さな寸法の金網を配置していて、開口の周辺で段ボールａと金網ｂとが重なるようにしていた。そして、箱本体の段ボールａと箱内方側の金網ｂとを、箱外から打ち込んだ金属線のステープルで打ち止めたり、箱内方から塗布したホットメルト接着剤にて接着していた。
【０００４】
齧歯類動物の納入を受けた側では上記輸送箱を開いて齧歯類動物を飼育箱などに移し替えることになるが、この輸送箱を取り扱うときにつぎのような問題がある。まず、移し替えをしている作業者が、金網を段ボールに止めている金属ステープルの先端に指先などを引っ掛けて怪我をする可能性があった。
また、所定形状に打ち抜いた金網で内カゴを組んでいるため、また、窓部を箱内方から小さな寸法として金網で覆うものとしたものでは、金網を、窓部の開口に対して一回り程度大きい寸法で単に打ち抜き形成したものであるため、金網の辺に金属線の尖った切断部が突出しており、この部分にも指先を引っ掛けて怪我をする可能性があった。
さらに、齧歯類動物は輸送箱から取り出されるときに箱内側の金網に四肢の爪を引っ掛けて抵抗することが多く、片手で齧歯類動物の体を包み持ってもう一方の手で爪を金網から外してから取り出すようにしているため、この輸送箱から取り出す作業に手間を要している。
【０００５】
加えて、輸送箱に収容している状態でもつぎの問題があった。この輸送箱を用いた搬送中は内部で齧歯類動物が動き回っていて、その動き回っている間に内部の金網に爪先や四肢を深く引っ掛けて自分では外せない状態になってしまうこともあり、このような場合にはより注意深く取り外してやる必要があった。
そこで本発明は上記事情に鑑み、輸送箱に収容した齧歯類動物が箱内部側から食いつきを行なっても、輸送のための一日や二日などの短期間の収容では食い破りによる孔が開かないようにするとともに、その輸送箱から齧歯類動物を取り出すときに取り扱い者が指先に怪我を負ったりすることが無いように、さらには、収容している齧歯類動物が箱内部で爪や四肢を引っ掛け難くすることを課題とし、齧歯類動物を安全に収容してその齧歯類動物を箱から簡単に取り出すことのできる輸送箱を得ることを目的とするものである。
【課題を解決するための手段】
【０００６】
（請求項１の発明）
本発明は上記課題を考慮してなされたもので、請求項１の発明は、箱外層に段ボールである紙質材シートが位置し、箱内層に段ボールである紙質材シートが位置している包材から箱本体が形成されている齧歯類動物輸送箱であって、
前記包材は、箱本体に収容する齧歯類動物による食い破りが困難な強度を有する一層の食い破り防止シートが、前記箱外層の紙質材シートと前記箱内層の紙質材シートとの間に位置し、箱外層の紙質材シートと箱内層の紙質材シートとの対向面それぞれに接着剤が塗布されて、該接着剤を介して箱外層の紙質材シートと箱内層の紙質材シートとを前記一層の食い破り防止シートに貼り合わせた食い破り防止積層部を形成した積層構成とされていて、
前記食い破り防止積層部には、前記箱外層の紙質材シートと箱内層の紙質材シートとを同寸法に開口し、該開口が重なり合った窓部を設けて、開口から表出した食い破り防止シートで前記窓部が閉じられていて、
前記窓部の周りにおける前記食い破り防止積層部が押し潰され、少なくとも箱内層の紙質材シートの開口周縁に亘って、該開口周縁と窓部内の食い破り防止シートとの段差を微小にしてこの開口周縁に対する収容齧歯類動物の噛み付きと爪掛けとが不能な潰れ部が設けられていることを特徴とする齧歯類動物輸送箱であり、この齧歯類動物輸送箱を提供して上記課題を解消するものである。
【０００７】
（削除）
【０００８】
（削除）
【０００９】
（削除）
【００１０】
（請求項２の発明）
また、請求項２の発明は、上記開口で表出する食い破り防止シートの箱外層側に、透明な合成樹脂製シートとパルプシートと不織布との何れかからなる窓部用シートが重ね合わされ、前記窓部用シートと前記食い破り防止シートとで窓部が閉じられている請求項１に記載の齧歯類動物輸送箱であり、この齧歯類動物輸送箱を提供して上記課題を解消するものである。
【００１１】
（削除）
【００１２】
（削除）
【００１３】
（削除）
【００１４】
（削除）
【００１５】
（請求項３の発明）
また、請求項３の発明は、上記食い破り防止シートは、金網と合成樹脂製網と合成樹脂製シートとの何れかである請求項１または２に記載の齧歯類動物輸送箱であり、この齧歯類動物輸送箱を提供して上記課題を解消するものである。
【００１６】
（請求項４の発明）
また、請求項４の発明は、上記箱本体は、箱底部からフラップの開閉により開閉可能な箱天部に向けてテーパー状に拡開されていて、上位の箱本体が、フラップを開いた箱天部から箱内部に入る積み重ねが可能に設けられている請求項１から３の何れか一項に記載の齧歯類動物輸送箱であり、この齧歯類動物輸送箱を提供して上記課題を解消するものである。
【００１７】
（削除）
【発明の効果】
【００１８】
（請求項１の発明の効果）
請求項１の発明によれば、箱内層の紙質材シートと箱外層の紙質材シートとの間に食い破り防止シートが位置しているので、従来の金網を金属ステープルで止め付ける必要がなく、収容している齧歯類動物を取り出すときに取扱者が指先をステープルの針先などに引っ掛けることがない。
また、箱内層に段ボールの紙質材シートが位置して食い破り防止シートが覆われる状態になるため、収容している齧歯類動物が爪や四肢を食い破り防止シートに引っ掛けることがなく、輸送時に齧歯類動物が爪や四肢を深く引っ掛けたりすることを防ぎ、取扱者が齧歯類動物を輸送箱から取り出す際にも簡単に取り出すことができるようになる。
さらに、箱外層の紙質材シートと食い破り防止シートと箱内層の紙質材シートとの貼り合わせが接着剤を用いて行なわれるため、三者の積層状態が強固なものとなる。
また、窓部を備えているので、この窓部に表れる食い破り防止シートとして、通気性のあるものや箱内部を覗くことのできるものを選択することで、その窓部を、輸送時に箱内外の環境を同じにするための部分や箱内部観察をするため部分とすることができ、齧歯類動物輸送箱がより有用なものとなる。そして、その窓部の周辺に潰れ部が設けられているため、歯立てや爪立てができず、窓部周りで食い破りによる孔形成や爪を立てた孔形成を防止できる。
【００１９】
（削除）
【００２０】
（削除）
【００２１】
（削除）
【００２２】
（請求項２の発明の効果）
請求項２の発明により、窓部用シートを透明な合成樹脂製シートとすれば、窓部を箱内部を観察する部分として利用でき、パルプシートや不織布とすれば、通気用の部分として利用でききる。また、各態様の何れにおいても、箱内部からの齧歯類動物の毛が窓部を通して外部に飛散するのを防止する効果がある。
【００２３】
（削除）
【００２４】
（削除）
【００２５】
（削除）
【００２６】
（削除）
【００２７】
（請求項３の発明の効果）
請求項３の発明によれば、食い破り防止シートは、金網や合成樹脂製網や合成樹脂製シートとしているので、いずれも薄物とすることができるものであり、箱外層の紙質材シートと箱内層の紙質材シートとの重ね合わせをしても、包材の厚さが大きくなることを避けることが容易である。また、重ね合わせた状態での折り曲げ加工なども支障なく行なえる。
【００２８】
（請求項４の発明の効果）
請求項４の発明によれば、未使用や使用後の多数の箱本体を積み重ねしても嵩張ることがなく、空である多数の齧歯類動物輸送箱の保管に広いすベースを確保する必要がなくなる。
【００２９】
（削除）
【発明を実施するための最良の形態】
【００３０】
つぎに本発明を図示の実施の形態に基づいて詳細に説明する。
（箱の形態）
図中１は齧歯類動物輸送箱で、該齧歯類動物輸送箱１は箱本体２を箱底部３から箱天部４にかけてテーパー状に拡開した形状としたものであり、図２で箱本体２を展開したブランクで示すように、底面板５の四辺それぞれに折り部を介して側面板６を連接し、この四方の側面板６を外方に傾斜した状態に折り起こしされていて、一方の対向位置にある側面板６、図示の例では箱本体２の長手方向に沿った側面板６の端部に連接されている糊代板７が、他方の対向位置にある側面板６の箱外方側となる面に折り重ねられて貼り付けられている。即ち、それぞれ外方傾斜して隣り合う側面板６の内、一方の側面板６の端部にある糊代板７が他方の側面板６の箱外面側に折り重なって接着剤を用いて貼り合わされている。
さらにテーパー状に拡開した形状の箱本体２の箱天部４は、長手方向に沿う側面板６それぞれに折り部を介して連接して開閉できるフラップ８で閉じられている。そして、このフラップ８を開いたり閉じたりすることで箱本体の箱天部４が開閉可能とされ、フラップ８を上方に開いて箱内部に齧歯類動物を入れたり取り出したりし、齧歯類動物を収容した後にはこのフラップ８を閉じることで箱天部４が閉鎖される。
箱本体の長手方向に直交する方向の側面板６には、閉じた上記フラップ８を下方から受けるための受けフラップ９が連接されて箱内方に向けて折り曲げられている。
さらに、本齧歯類動物輸送箱１には、箱本体２の一部分には窓部１０を配していて、四方の側面板６それぞれに窓部１０が位置している。
【００３１】
齧歯類動物輸送箱１の箱本体２は、箱外層に段ボールからなる紙質材シート１１が位置するとともに、箱内層に同じく段ボールからなる紙質材シート１２が位置していて、この箱外層の紙質材シート１１と箱内層の紙質材シート１２とが対向した積層構成を有する包材からなるものであり、箱外層の紙質材シート１１と箱内層の紙質材シート１２との間に、箱本体に収容する齧歯類動物による食い破りが困難な強度を有する金網などからなる食い破り防止シート１３を位置させて積層した食い破り防止積層部１４を備えている。
上記齧歯類動物輸送箱１は、糊代板７とフラップ８と受けフラップ９とを含む箱本体２の各板部のすべての部分に上記食い破り防止シート１３が位置している。そして、上記窓部１０の位置では箱外層の紙質材シート１１と箱内層の紙質材シート１２とを開口し、その開口から前記食い破り防止シート１３が表出しており、よって、図１に示す例の齧歯類動物輸送箱１の食い破り防止積層部１４では、図５に示すように箱外層の紙質材シート１１と箱内層の紙質材シート１２との開口を合わせて窓部１０とし、開口から表出する前記食い破り防止シート１３で窓部１０が閉じられたものとしている。
【００３２】
（包材の製造）
製函して箱本体２とするブランクを得るための包材を製造するに際しては、まず、上述したように段ボールである箱外層用の紙質材シート１１と同じく段ボールであって箱内層用の紙質材シート１２とを重ね合わせて、窓部１０を得るための開口１５を打ち抜き形成する。なお、箱内層用、箱外層用それぞれの紙質材シートとする段ボールは枚葉の形態である。
つぎに、箱外層用の紙質材シート１１の箱内層側となる面の全面に接着剤を塗布するとともに、箱内層用の紙質材シート１２の箱外層側となる面の全面に接着剤を塗布する。そして、箱外層用の紙質材シート１１と箱内層用の紙質材シート１２とを接着剤１６の塗布部分が互いに面するように対向させるとともに、その間に金網からなる食い破り防止シート１３を位置させ（図４）、これらを重ね合わせた状態でプレス圧着する。これによって窓部１０を除く部分を、接着剤１６を介して箱外層の紙質材シート１１と箱内層の紙質材シート１２とを前記食い破り防止シート１３に貼り合わせた食い破り防止積層部１４とした平坦な包材が形成される。
【００３３】
窓部１０の周りで形成されている食い破り防止積層部１４については上記プレス圧着でのプレス圧が高められていて箱内層側から押し潰された形状に設けている。このように窓部１０の周りの食い破り防止積層部１４に高いプレス圧を加えて押し潰して、図５に示すように、箱内層側となる紙質材シート１２の開口１５の開口周縁に亘って、この開口周縁と開口１５から表出する食い破り防止シート１３（窓部内の食い破り防止シート）との段差を微小にした潰れ部１７が形成されている。なお、窓部１０の周りの食い破り防止積層部１４に対してその厚さ方向から高いプレス圧を加えて潰れ部１７を形成しており、箱外層側となる紙質材シート１１の開口１５の開口周縁に亘ってもこの潰れ部１７が形成される。
上記潰れ部１７は、製函された齧歯類動物輸送箱１に収容した齧歯類動物が、箱内層の紙質材シート１２の開口周縁に対して歯を立てることができないように、また爪を掛けができないようにしているものであり、齧歯類動物の噛み付きと爪掛けとを不能にした潰れ部１７が窓部１０の周りに位置し、その窓部１０の周りで孔を形成させないようにしている。
【００３４】
（ブランクの形成）
つぎに、プレス圧着により作製された上記包材から、齧歯類動物輸送箱形成のためのブランクを打ち抜いて、図２に示すブランクを得る。なお、上記窓部１０が上記各側面板の定められた位置となるように前記ブランクの打ち抜き形成が行なわれる。また、製函貼り合わせ部分（糊代板とこの糊代板に対向する部分）には、つぎに説明する製函の前に接着剤を塗布する。
【００３５】
（製函）
つぎに、雄型と雌型とからなる金型の型締めにより製函をする型締め製函装置に上記ブランクを装填する。前記装置では、開いた雄型と雌型との間にブランクが配置されていて、図６に示すように、雄型Ａと雌型Ｂとの型締めによるブランクの雌型側への押し込みで、上記底面板５の周りの側面板６の折り起こしと、隣り合う側面板６同士での一方の側面板６の糊代板７を他方の側面板６に重ね合わせて貼り付ける糊代板の接着とを行なうものであり、これによって、齧歯類動物輸送箱１の箱本体が箱底部から箱天部にかけてテーパー状に拡開した形状に製函される。なお、この時点ではフラップ８、受けフラップ９は箱内方に折り倒されず、箱天部は開放されている。
【００３６】
（積み重ね）
上述したようにブランクに対する組み起こしと側面板相互の貼り合わせによって得られる未使用の齧歯類動物輸送箱１は、上述したように箱本体２が箱底部から箱天部に向けてテーパー状に拡開した形状に設けられ、そして箱天部４が閉じられていないため、未使用である多数の齧歯類動物輸送箱を保管する場合などにおいて、それぞれテーパー形状に開いた側の向きを揃えて複数の箱本体を上下に配し、図７に示すように上位の箱本体２が、箱天部４を開いた下位の箱温帯２に入るように重ね積みすることができる。
本齧歯類動物輸送箱に対して、従来の輸送箱や飼育箱では、図８に示されているように箱本体２′が箱底部側に向けて拡径する形状であったり（図８（ａ））、直方体であり（図８（ｂ））、順に嵌め込む形態で積み重ねることができず、保管に際して広い空間を占めるものとなっていた。
【００３７】
（齧歯類動物輸送箱の第一の例）
フラップ８と受けフラップ９とを箱内方には折り倒さずに製函された齧歯類動物輸送箱１は、前記受けフラップ９を箱内方に折り倒してからフラップ８を折り倒すことで箱天部４が閉じた箱が得られる。この齧歯類動物輸送箱１は、四方の側面板６の窓部１０が金網の食い破り防止シート１３で覆われた箱となり、この箱内部に齧歯類動物を収容すれば、窓部１０から収容された齧歯類動物の様子を簡単に観察することが可能となる。
この齧歯類動物輸送箱１において、窓部１０以外の部分では箱内層の紙質材シート（段ボール）によって、金網からなる食い破り防止シート１３を覆っているので、輸送時に齧歯類度物が動き回って爪や四肢を深く引っ掛けて自分では外せなくなるということが生じない。勿論、窓部１０を閉じる形で位置している食い破り防止シート１３には爪や四肢を引っ掛けることがあるが、外方側も開口として開放されているため、自分で外せなくなるという事態になることはない。
食い破り防止シート１３は金網であり、齧歯類動物の輸送に要する一日や二日程度の短期間の収容では、直接食い破りを行なったとしても破れることはない。
【００３８】
齧歯類動物は歯や爪が立たない平面部分に初めからかじりつく習性はなく、窓部周りで歯や爪を立てる可能性はあるが、上述したようにこの部分に潰れ部１７を設けて、噛み付きと爪立てを不能にしているので、本齧歯類動物輸送箱１は収容の齧歯類動物による食い破りが確実に防止できる。
また、本齧歯類動物輸送箱１から齧歯類動物を取り出すときにも爪や四肢を引っ掛けて抵抗する部分は窓部１０の食い破り防止シート１３の金網の部分しかなく、仮にその窓部１０の食い破り防止シート１３に爪や四肢を掛けていても外すことが容易であり、齧歯類動物の取り出すのが簡単になる。さらに、箱内方には金網の切断縁が表出しないため、作業者が指先などを引っ掛けて怪我をするということもない。
【００３９】
（削除）
【００４０】
（齧歯類動物輸送箱の第二の例）
上記齧歯類動物輸送箱１の第一の例において、食い破り防止シート１３を一層として金網を用いたものを示したが、一層の食い破り防止シート１３としては合成樹脂製網を用いてもよく、箱外層の紙質材シート１１と箱内層の紙質材シート１２とが上記接着剤を介してこの合成樹脂製網からなる食い破り防止シート１３に接着し、また、金網を用いた場合やこの合成樹脂製網を用いた場合も、網目を通した接着剤相互の接着も行なえるものとなる。
また、合成樹脂製網からなる食い破り防止シート１３が窓部１０を閉じるように位置すれば、上記第一の例と同じようにその窓部１０から箱内を観察できる観察窓として窓部を利用できる。さらに、金網の網目も合成樹脂製網の網目も多孔であり通気部の役割を果たすことができ、窓部１０を通気窓として構成することが容易になる。
なお、齧歯類動物の箱内収容が一日や二日程度であるため、上記合成樹脂製網として、前記収容期間で齧歯類動物が直接噛み付きしても切断しない強度を有するものが簡単に入手できる。
【００４１】
（齧歯類動物輸送箱の第三の例）
さらに、上記食い破り防止シート１３を一層の合成樹脂製シートとしてもよい。そして、この合成樹脂製シートを透明なシートにし、食い破り防止シート１３が窓部１０に位置すれば、上記第一の例と同じようにその窓部１０から箱内を観察できる観察窓として窓部を利用できる。
なお、上記合成樹脂製シート自体は、齧歯類動物の箱内収容が一日や二日程度であるため、この収容期間で齧歯類動物が直接噛み付きや爪立てしても切断しない強度を有するものとする。素材としては表面強度に優れるポリエステル製シートやポリカーボネート製シートが良好である。
【００４２】
（削除）
【００４３】
（削除）
【００４４】
なお、上述した食い破り防止積層部１４の食い破り防止シート１３を金網または合成樹脂製網からなる一層の食い破り防止シート１３を有する構成の変形として、窓部１０の食い破り防止シート１３の箱外方側に食い破り防止機能を有しない透明な合成樹脂製シート、パルプシート、不織布のいずれからかなる窓部用シートを窓部のみに対応するように配置してもよい。
【００４５】
（削除）
【００４６】
（削除）
【００４７】
（削除）
【００４８】
（削除）
【００４９】
（削除）
【図面の簡単な説明】
【００５０】
【図１】本発明に係る齧歯類動物輸送箱の第一の例の外観を示す説明図である。
【図２】第一の例の箱本体を展開したブランクで示す説明図である。
【図３】第一の例の包材の食い破り防止積層部を断面で示す説明図である。
【図４】包材の貼り合わせを示す説明図である。
【図５】窓部周辺の潰れ部を断面で示す説明図である。
【図６】製函する金型にブランクを配した状態を示す説明図である。
【図７】複数の箱本体を積み重ねた状態を示す説明図である。
【図８】従来の箱を複数積み重ねた状態を示す説明図である。
【図９】従来における金網をステープルで止めた状態を示す説明図である。
【符号の説明】
【００５１】
１…齧歯類動物輸送箱
２…箱本体
３…箱底部
４…箱天部
５…底面板
６…側面板
７…糊代板
８…フラップ
１０…窓部
１１…紙質材シート
１２…紙質材シート
１３…食い破り防止シート
１４…食い破り防止積層部
１５…開口
１６…接着剤
１７…潰れ部
１８…切取部
１９…窓部用シート
【図１】
0005265178.tif 000002
【図２】
0005265178.tif 000003
【図３】
0005265178.tif 000004
【図４】
0005265178.tif 000005
【図５】
0005265178.tif 000006
【図６】
0005265178.tif 000007
【図７】
0005265178.tif 000008
【図８】
0005265178.tif 000009
【図９】
0005265178.tif 000010